(57)【特許請求の範囲】
【請求項１】
水栓に接続可能に構成され、前記水栓に接続された状態にて、前記水栓を通じて供給される原水が流入する入口部と、前記入口部に連通されると共に水処理器に接続可能に構成されており、前記水処理器に接続された状態にて前記入口部に流入した原水が、前記水処理器に向けて吐出する供給口部と、
前記水処理器に接続可能に構成され、前記水処理器に接続された状態にて前記水処理器により水処理を施された前記原水である処理水が流入する戻り口部と、
前記戻り口部及び前記入口部に連通され、前記入口部に流入した原水、又は前記戻り口部に流入した処理水が吐出可能な吐出口部と、前記入口部の連通対象を前記供給口部又は前記吐出口部に変更する切替弁を有する本体部とを具備する切替バルブ継手において、
前記供給口部と前記水処理器との接続に用いる第一ホースが挿通可能な第一ホース孔、及び前記戻り口部と前記水処理器との接続に用いる第二ホースが挿通可能な第二ホース孔が形成され、
前記第一・第二ホース孔に前記第一・第二ホースが挿通された状態にて、前記本体部に固定される押さえ部材と、
該押さえ部材よりも大きく、内周面で囲まれる空間内に該押さえ部材を収容可能に構成し、前記第一・第二ホースが挿通される第一・第二ホース孔を具備したカバー部材を備え、
前記押さえ部材にカバー部材を被覆し、前記押さえ部材の第一・第二ホース孔、及びカバー部材の第一・第二ホース孔に、前記第一・第二ホースを挿通した状態で、
固定用ビスを、該カバー部材のビス孔、及び押さえ部材のビス孔に挿通し、前記本体部に形成されたビス穴にねじ込み、
前記第一・第二ホースの開口端部を、前記供給口部と戻り口部に押さえ付けて、該本体部に固定する
ことを特徴とする切替バルブ継手。
【請求項２】
請求項１に記載の切替バルブ継手において、
前記供給口部には、中空の筒形状に形成されると共に、一方の開口端部の外周面にテーパ状に先細りするテーパ部が形成され、前記一方の開口端部が前記第一ホースの開口端部内に差し込み可能に構成され、かつ、他方の開口端部が前記供給口部に差し込み可能に構成される第一ブッシュを有し、
前記戻り口部には、中空の筒形状に形成されると共に、一方の開口端部の外周面にテーパ状に先細りするテーパ部が形成され、前記一方の開口端部が前記第二ホースの開口端部内に差し込み可能に構成され、かつ、他方の開口端部が前記戻り口部に差し込み可能に構成される第二ブッシュを有し、
前記供給口部の内周面には、前記供給口部に差し込まれた状態の前記第一ブッシュの先端が当接する段部が形成され、
前記戻り口部の内周面には、前記戻り口部に差し込まれた状態の前記第二ブッシュの先端が当接する段部が形成される
ことを特徴とする切替バルブ継手。
【発明の詳細な説明】
【技術分野】
【０００１】
本発明は、浄水器・アルカリイオン整水器等の水処理器と、水栓と、の接続に用いる切替バルブ継手に関する。
【背景技術】
【０００２】
特許文献１には、浄水器・アルカリイオン整水器等の水処理器と、水栓と、の接続に用いる吐水用部材が記載されている。
【０００３】
特許文献１に記載の吐水用部材は、水栓（既設の混合水栓）を通じて供給される原水の入口部と、水処理器に対する原水の供給口部と、水処理器にて水処理を施された原水（処理水）の戻り口部と、処理水が吐出する吐出口部と、を備えている。吐水用部材による水栓と水処理器との接続は、吐水用部材の入口部が水栓に接続され、供給口部が水処理器の原水インレットポートに接続され、さらに戻り口部が水処理器の処理水アウトレットポートに接続されることにより行われる。このように水栓と水処理器とが上記吐水用部材を介して接続された状態にて、水栓を通じて上記吐水用部材の入口部に流入した原水は、供給口部から水処理器に供給される。そして、水処理器に供給された原水は、水処理器にて水処理（浄化処理等）を施されて処理水になり、その後に戻り口部から流入する。そして、戻り口部から流入した処理水は、吐出口部から吐出して、使用に供することができる。
【０００４】
ここで、上記吐水用部材の供給口部と水処理器の原水インレットポートとが、第一ホースを介して接続され、戻り口部と水処理器の処理水インレットポートとが、第二ホースを介して接続されることとする。このとき、第一ホースの供給口部への固定は、例えば特許文献２に記載されているように、第一ホースの開口端部内に供給口部を差し込み、さらに第一ホースの開口端部を第一ナットで供給口部に締め付けることにより行われる。また、第二ホースの戻り口部への固定についても同様に、第二ホースの開口端部内に戻り口部を差し込み、さらに第二ホースの開口端部を第二ナットで戻り口部に締め付けることにより行われる。このように、第一・第二ホースが、個々に締め付けられて、個々に固定される。
【０００５】
しかし、上記のように第一・第二ホースを個々に固定するように構成すると、第一ホースを固定するための作業を行う作業スペース、及び第二ホースを固定するための作業を行う作業スペース、を個々に確保する必要が生じる。このため、上記吐水用部材における供給口部及び戻り口部について、互いに近接して配置することができず、ある程度の間隔を空けて配置することになる。これにより、上記吐水用部材が大型化してしまう点で不利である。
【０００６】
また、入口部の連通対象を供給口部又は吐出口部に変更する切替弁をさらに備え、切替弁により、吐出口部から、処理水、又は原水を選択的に吐出させることができる種類の吐水用部材（切替バルブ継手）については、一般的に、切替弁の切り替えを行う操作ハンドル等を備えるので、大型化しやすい。
【先行技術文献】
【特許文献】
【０００７】
【特許文献１】特開２００６−３７７０３号公報
【特許文献２】特開２００６−１１８５８８号公報
【発明の概要】
【発明が解決しようとする課題】
【０００８】
本発明は、上述の課題を解決するべく、コンパクトに構成することができる切替バルブ継手を提供する。
【課題を解決するための手段】
【０００９】
請求項１においては、水栓に接続可能に構成され、前記水栓に接続された状態にて、前記水栓を通じて供給される原水が流入する入口部（１１）と、前記入口部（１１）に連通されると共に、水処理器に接続可能に構成されており、前記水処理器に接続された状態にて前記入口部（１１）に流入した原水が、前記水処理器に向けて吐出する供給口部（１２）と、前記水処理器に接続可能に構成され、前記水処理器に接続された状態にて前記水処理器により水処理を施された前記原水である処理水が流入する戻り口部（１３）と、前記戻り口部（１３）及び前記入口部（１１）に連通され、前記入口部（１１）に流入した原水、又は前記戻り口部（１３）に流入した処理水が吐出可能な吐出口部（１４）と、前記入口部（１１）の連通対象を前記供給口部（１２）又は前記吐出口部（１４）に変更する切替弁（１５）を有する本体部（２）とを、具備する切替バルブ継手において、前記供給口部（１２）と前記水処理器との接続に用いる第一ホース（１９）が挿通可能な第一ホース孔（２７ａ）、及び前記戻り口部（１３）と前記水処理器との接続に用いる第二ホース（２０）が挿通可能な第二ホース孔（２７ｂ）が形成され、前記第一・第二ホース孔（２７ａ・２７ｂ）に前記第一・第二ホース（１９・２０）が挿通された状態にて、前記本体部（２）に固定される押さえ部材（２３）と、該押さえ部材（２３）よりも大きく、内周面で囲まれる空間内に該押さえ部材（２３）を収容可能に構成し、前記第一・第二ホース（１９・２０）が挿通される第一・第二ホース孔（２９ａ・２９ｂ）を具備したカバー部材（２４）を備え、前記押さえ部材（２３）にカバー部材（２４）を被覆し、前記押さえ部材（２３）の第一・第二ホース孔（２７ａ・２７ｂ）、及びカバー部材（２４）の第一・第二ホース孔（２９ａ・２９ｂ）に、前記第一・第二ホース（１９・２０）を挿通した状態で、固定用ビス（２５・２５）を、該カバー部材（２４）のビス孔（２９ｃ・２９ｃ）、及び押さえ部材（２３）のビス孔（２７ｃ・２７ｃ）に挿通し、前記本体部（２）に形成されたビス穴（２ｂ・２ｂ）にねじ込み、前記第一・第二ホース（１９・２０）の開口端部を、前記供給口部（１２）と戻り口部（１３）に押さえ付けて、該本体部（２）に固定するものである。
【００１０】
請求項２においては、請求項１に記載の切替バルブ継手において、前記供給口部（１２）には、中空の筒形状に形成されると共に、一方の開口端部の外周面にテーパ状に先細りするテーパ部が形成され、前記一方の開口端部が前記第一ホースの開口端部内に差し込み可能に構成され、かつ、他方の開口端部が前記供給口部に差し込み可能に構成される第一ブッシュ（２１）を有し、前記戻り口部（１３）には、中空の筒形状に形成されると共に、一方の開口端部の外周面にテーパ状に先細りするテーパ部が形成され、前記一方の開口端部が前記第二ホースの開口端部内に差し込み可能に構成され、かつ、他方の開口端部が前記戻り口部に差し込み可能に構成される第二ブッシュ（２２）を有し、前記供給口部（１２）の内周面には、前記供給口部（１２）に差し込まれた状態の前記第一ブッシュ（２１）の先端が当接する段部（１２ａ）が形成され、前記戻り口部（１３）の内周面には、前記戻り口部（１３）に差し込まれた状態の前記第二ブッシュ（２２）の先端が当接する段部（１３ａ）が形成されるものである。
【発明の効果】
【００１１】
本発明によれば、切替バルブ継手をコンパクト化することが可能である。
即ち、押さえ部材２３がカバー部材２４を介して、本体部２に固定用ビス２５・２５で締め付けられて固定されることにより、締め付けられた押さえ部材２３が第一・第二ホース１９・２０を供給口部１２・戻り口部１３にそれぞれ同時に押さえ付けて、第一・第二ホース１９・２０を供給口部１２・戻り口部１３にそれぞれ同時に固定する。
従って、第一ホース１９を固定するための作業を行う作業スペース、及び第二ホース２０を固定するための作業を行う作業スペース、を個々に確保する必要がない。
これにより、供給口部１２及び戻り口部１３について、互いに近接して配置することができるので、後付け部材である切替バルブ継手１をコンパクト化することが可能である。
【図面の簡単な説明】
【００１２】
【図１】切替バルブ継手の一部断面図である。
【図２】図１のＡ−Ａ断面図である。
【図３】図１の一部拡大図であり、（ａ）は第一ホース及び第一ブッシュの拡大図であり、（ｂ）は第二ホース及び第二ブッシュの拡大図である。
【図４】図１の一部拡大図であり、（ａ）は第一ブッシュの拡大図であり、（ｂ）は第二ブッシュの拡大図である。
【図５】押さえ部材を示す図であり、（ａ）は図１に示す押さえ部材の拡大図であり、（ｂ）は図５（ａ）に示す押さえ部材を矢印Ｂの方向から見た図である。
【図６】カバー部材を示す図であり、（ａ）は図１に示すカバー部材の拡大図であり、（ｂ）は図５（ａ）に示す押さえ部材を矢印Ｃの方向から見た図である。
【図７】供給口部・戻り口部に第一・第二ブッシュを差し込む過程を示す図であり、（ａ）はカバー部材・押さえ部材に第一・第二ホースを挿通した状態を示し、（ｂ）は供給口部・戻り口部に第一・第二ブッシュを差し込んだ状態を示す。
【図８】押さえ部材を固定用ビスで締め付ける過程を示す図であり、（ａ）は図７（ｂ）のＤ−Ｄ断面図であり、（ｂ）は固定用ビスを本体部２に形成されるビス穴にねじ込んで、押さえ部材を固定用ビスで締め付けている状態を示す図である。
【発明を実施するための形態】
【００１３】
以下に、本発明に係る切替バルブ継手の一実施例である切替バルブ継手１について、図面を参照して説明する。
【００１４】
切替バルブ継手１は、浄水器・アルカリイオン整水器等の水処理器と、既設の水栓と、の接続に用いる部材である。水処理器と水栓とが切替バルブ継手１を用いて接続されると、水栓を通じて供給される原水（水道水、温水等）を水処理器に供給でき、これにより水処理器にて水処理（浄化処理等）を施された原水（処理水）を吐出可能になる。
【００１５】
図１及び図２に示すように、切替バルブ継手１は、本体部２、及び継手部３を備える。
【００１６】
本体部２は、原水／処理水が流入／吐出する各種開口部、原水／処理水が流通する各種流路等が設けられている部材である。本体部２は、入口部１１、供給口部１２、戻り口部１３、吐出口部１４、及び切替弁１５を有する。
【００１７】
入口部１１は、既設の水栓（不図示）に接続可能に構成されており、水栓に接続された状態にて、水栓を通じて供給される原水が切替バルブ継手１内へ流入する部分である。
【００１８】
供給口部１２は、入口部１１に連通されると共に水処理器（不図示）に接続可能に構成されており、水処理器に接続された状態にて、入口部１１に流入した原水が水処理器に向けて吐出する部分である。
【００１９】
戻り口部１３は、水処理器に接続可能に構成されており、水処理器に接続された状態にて、水処理器により水処理を施された原水である処理水が切替バルブ継手１内へ流入する部分である。
【００２０】
吐出口部１４は、戻り口部１３、及び入口部１１に連通されており、入口部１１に流入した原水、又は戻り口部１３に流入した処理水が切替バルブ継手１内から吐出する部分である。吐出口部１４はスパウト（不図示）に接続されており、入口部１１に流入した原水、又は戻り口部１３に流入した処理水を前記スパウトから吐出可能としている。
【００２１】
切替弁１５は、入口部１１、供給口部１２、及び吐出口部１４の間に設けられており、入口部１１の連通対象を供給口部１２又は吐出口部１４に変更する。入口部１１は、切替弁１５を介して供給口部１２又は吐出口部１４に連通可能とされており、切替弁１５を切り替えることにより、入口部１１の連通対象を供給口部１２又は吐出口部１４に変更可能に構成されている。なお、切替弁１５には操作ハンドル１６が接続されており、操作ハンドル１６が適宜回動されることにより、切替弁１５の切り替えが行われる。
【００２２】
切替バルブ継手１による水栓と水処理器との接続は、入口部１１が水栓に接続され、供給口部１２が水処理器の原水インレットポートに接続され、さらに戻り口部１３が水処理器の処理水アウトレットポートに接続されることにより行われる。このように水栓と水処理器とが切替バルブ継手１を介して接続された状態にて、切替弁１５により入口部１１の連通対象を供給口部１２とするとき、水栓→入口部１１→供給口部１２→水処理器→戻り口部１３→吐出口部１４、の順に接続された状態になる。これにより、水栓を通じて入口部１１に供給される原水が、水処理器を経由して処理水となった後に吐出口部１４を通じてスパウトから吐出し、処理水が使用に供される。また、この状態から、切替弁１５により入口部１１の連通対象を吐出口部１４に切り替えるとき、水栓→入口部１１→吐出口部１４、の順に接続された状態になる。これにより、水栓を通じて入口部１１に供給される原水が、水処理器を経由せずに吐出口部１４を通じてスパウトから吐出し、原水が使用に供される。
【００２３】
なお、入口部１１にはナット１７が外嵌されており、ナット１７と水栓の吐水口部とを係合させた状態にてナット１７を締め付けることにより入口部１１と水栓とが接続される。
【００２４】
また、吐出口部１４と前記スパウトとの接続はジョイント１８を介して行われており、前述のように吐出口部１４から吐出した原水又は処理水は、その後スパウトを通じて流れ、スパウトから流出した後、使用に供される。
【００２５】
供給口部１２と水処理器の原水インレットポートとは、第一ホース１９を介して接続される。そして、供給口部１２と水処理器の原水インレットポートとの接続は、第一ホース１９の一方の開口端部が供給口部１２に固定され、第一ホース１９の他方の開口端部が水処理器の原水インレットポートに固定されることにより行われる。また、戻り口部１３と水処理器の処理水アウトレットポートとは、第二ホース２０を介して接続される。そして、戻り口部１３と水処理器の処理水アウトレットポートとの接続は、第二ホース２０の一方の開口端部が戻り口部１３に固定され、第二ホース２０の他方の開口端部が水処理器の処理水アウトレットポートに固定されることにより行われる。継手部３は、供給口部１２・戻り口部１３に、第一・第二ホース１９・２０の一方の開口端部を、それぞれ固定する際に用いる部材である。
【００２６】
継手部３は、第一・第二ブッシュ２１・２２と、押さえ部材２３と、カバー部材２４と、押さえ部材２３及びカバー部材２４を本体部２に固定する固定用ビス２５・２５と、を有する。第一・第二ホース１９・２０の供給口部１２・戻り口部１３への固定は、固定用ビス２５・２５を本体部２に螺挿することで、カバー部材２４を介して押さえ部材２３を本体部２に締め付けて固定することにより行われる。このとき、締め付けられた状態の押さえ部材２３が、第一・第二ホース１９・２０の一方の開口端部を供給口部１２・戻り口部１３にそれぞれ同時に押さえ付けて、第一・第二ホース１９・２０の一方の開口端部を供給口部１２・戻り口部１３に、それぞれ固定する。
【００２７】
第一・第二ホース１９・２０の一方の開口端部には、中空の円筒形状に形成される第一・第二ブッシュ２１・２２が、それぞれ固定されている（図１参照）。
【００２８】
第一・第二ブッシュ２１・２２の一方の開口端部は、第一・第二ホース１９・２０の一方の開口端部内にそれぞれ差し込まれており、第一・第二ブッシュ２１・２２の他方の開口端部は、第一・第二ホース１９・２０の一方の開口端部内からそれぞれ突出している（図３参照）。
【００２９】
第一・第二ブッシュ２１・２２の一方の開口端部の外周面には、テーパ状に先細りするテーパ部２１ａ・２２ａがそれぞれ形成されている。そして、第一・第二ブッシュ２１・２２の一方の開口端部（テーパ部２１ａ・２２ａ）が差し込まれている第一・第二ホース１９・２０の開口端部は、テーパ部２１ａ・２２ａに沿って拡径して、先太りする形状にそれぞれ弾性変形している（図３及び図４参照）。
【００３０】
図１及び図３に示すように、第一・第二ホース１９・２０の開口端部内からそれぞれ突出している第一・第二ブッシュ２１・２２の他方の開口端部は、供給口部１２・戻り口部１３にそれぞれ差し込み可能に構成されている。第一ブッシュ２１が供給口部１２にそれぞれ差し込まれた状態のとき、供給口部１２と第一ホース１９とが係合した状態になり、供給口部１２に供給された原水が第一ブッシュ２１内を通じて第一ホース１９内へ吐出可能になる。また、第二ブッシュ２２が戻り口部１３に差し込まれた状態のとき、戻り口部１３と第二ホース２０とが係合した状態になり、水処理機から第二ホース２０内に供給された処理水が第二ブッシュ２２内を通じて戻り口部１３へ流入可能になる。なお、供給口部１２・戻り口部１３の内周面は、開口側（第一・第二ブッシュ２１・２２が差し込まれる側）の方が奥側よりも大径となる段付き形状に形成されている。これにより、供給口部１２・戻り口部１３に第一・第二ブッシュ２１・２２がそれぞれ差し込まれると、供給口部１２・戻り口部１３の内周面における段付き形状を形成する段部１２ａ・１３ａに、第一・第二ブッシュ２１・２２がそれぞれ当接して係止するように構成されている（図７（ａ）及び図７（ｂ）参照）。また、第一・第二ブッシュ２１・２２の他方の開口端部の外周面には、リング状のパッキン２６・２６がそれぞれ外嵌されている（図３参照）。
【００３１】
押さえ部材２３は、円盤状の底部２７、及び底部２７の外周縁から略直角に立ち上がる円筒状の側部２８を有する（図５参照）。底部２７には、第一・第二ホース１９・２０が挿通する第一・第二ホース孔２７ａ・２７ｂ、及び固定用ビス２５・２５が挿通するビス孔２７ｃ・２７ｃがそれぞれ形成されている。押さえ部材２３に形成される第一・第二ホース孔２７ａ・２７ｂは、本体部２における供給口部１２・戻り口部１３が存在する位置にそれぞれ対応して配置されている。第一・第二ホース孔２７ａ・２７ｂの内径は第一・第二ホース１９・２０の外径と同程度の大きさに設定されており、第一・第二ホース孔２７ａ・２７ｂに第一・第二ホース１９・２０がそれぞれ挿通可能に構成されている。また、第一・第二ホース孔２７ａ・２７ｂの内径は第一・第二ホース１９・２０の一方の開口端部、つまりテーパ部２１ａ・２２ａに沿って先太りする部分の最大外径よりも小さく設定されている。これにより、第一・第二ホース孔２７ａ・２７ｂに第一・第二ホース１９・２０がそれぞれ挿通されると共に、第一・第二ホース１９・２０の一方の開口端部内に第一・第二ブッシュ２１・２２が差し込まれた状態で、押さえ部材２３を本体部２に締め付けることで、押さえ部材２３と第一・第二ブッシュ２１・２２とで第一・第二ホース１９・２０の一方の開口端部を挟持すると共に、第一・第二ホース孔２７ａ・２７ｂに第一・第二ホース１９・２０の一方の開口端部（先太りする部分）がそれぞれつかえるように構成されている。
【００３２】
カバー部材２４は、本体部２に固定された状態の押さえ部材２３を覆うものであり、円盤状の底部２９、及び底部２９の外周縁から略直角に立ち上がる円筒状の側部３０を有する（図６参照）。底部２９には、第一・第二ホース１９・２０が挿通する第一・第二ホース孔２９ａ・２９ｂ、及び固定用ビス２５・２５が挿通するビス孔２９ｃ・２９ｃがそれぞれ形成されている。カバー部材２４は、側部３０の端部が本体部２における供給口部１２及び戻り口部１３の外周部２ａに外嵌可能に構成されている（図７（ａ）及び図７（ｂ）参照）。また、カバー部材２４は、押さえ部材２３よりも一回り大きく、側部３０の内周面で囲まれる空間内に押さえ部材２３が収容可能に構成されている。カバー部材２４は、押さえ部材２３と共に固定用ビス２５・２５で本体部２に固定される。このとき、側部３０の端部が外周部２ａに外嵌され、カバー部材２４と本体部２との間に押さえ部材２３が収容された状態になる（図１及び図２参照）。
【００３３】
継手部３を用いた、第一・第二ホース１９・２０の供給口部１２・戻り口部１３への固定は、押さえ部材２３を本体部２に固定用ビス２５・２５で締め付けて固定することにより行われる。詳細には、第一・第二ホース１９・２０が、カバー部材２４の第一・第二ホース孔２９ａ・２９ｂ、及び押さえ部材２３の第一・第二ホース孔２７ａ・２７ｂにそれぞれ挿通され（図７（ａ）参照）、さらに第一・第二ブッシュ２１・２２が供給口部１２・戻り口部１３にそれぞれ差し込まれた状態で（図７（ｂ）参照）、固定用ビス２５・２５が、カバー部材２４のビス孔２９ｃ・２９ｃ、及び押さえ部材２３のビス孔２７ｃ・２７ｃに挿通されて、さらに本体部２に形成されるビス穴２ｂ・２ｂにそれぞれねじ込まれることにより行われる（図８（ａ）及び図８（ｂ）参照）。このとき、押さえ部材２３が固定用ビス２５・２５でカバー部材２４を介して締め付けられて、押さえ部材２３の第一・第二ホース孔２７ａ・２７ｂに第一・第二ホース１９・２０の一方の開口端部（先太りする部分）がそれぞれつかえた状態になる。つまり、押さえ部材２３が、固定用ビス２５・２５にて締め付けられることにより、押さえ部材２３が、第一ホース１９の一方の開口端部及び第一ブッシュ２１を供給口部１２（段部１２ａ）に、第二ホース２０及の一方の開口端部び第二ブッシュ２２を戻り口部１３（段部１３ａ）に、それぞれ同時に押さえ付けて、第一ホース１９の一方の開口端部を供給口部１２に、第一ホース１９の一方の開口端部を戻り口部１３に、それぞれ固定する（図１参照）。これにより、第一・第二ホース１９・２０の一方の開口端部が供給口部１２・戻り口部１３に、それぞれ係合した状態が保持される。このように、押さえ部材２３が本体部２に固定用ビス２５・２５で締め付けられて固定されることにより、締め付けられた押さえ部材２３が第一・第二ホース１９・２０を供給口部１２・戻り口部１３にそれぞれ同時に押さえ付けて、第一・第二ホース１９・２０を供給口部１２・戻り口部１３にそれぞれ同時に固定する。従って、第一ホース１９を固定するための作業を行う作業スペース、及び第二ホース２０を固定するための作業を行う作業スペース、を個々に確保する必要がない。これにより、供給口部１２及び戻り口部１３について、互いに近接して配置することができるので、後付け部材である切替バルブ継手１をコンパクト化することが可能である。
【符号の説明】
【００３４】
１      切替バルブ継手
２      本体部
３      継手部
１１    入口部
１２    供給口部
１３    戻り口部
１２ａ・１３ａ  段部
１４    吐出口部
１５    切替弁
１６    操作ハンドル
１９    第一ホース
２０    第二ホース
２１    第一ブッシュ
２２    第二ブッシュ
２３    押さえ部材
２７ａ  第一ホース孔
２７ｂ  第二ホース孔
【図１】
0005614952.tif 000002
【図２】
0005614952.tif 000003
【図３】
0005614952.tif 000004
【図４】
0005614952.tif 000005
【図５】
0005614952.tif 000006
【図６】
0005614952.tif 000007
【図７】
0005614952.tif 000008
【図８】
0005614952.tif 000009